(57)【要約】【課題】保温性、透湿性、クッション性、さらには経年劣化によるヘタリを防止するとともに、比較的容易に製造することができるマットレスを提供することを課題とする。【解決手段】板状を呈する芯材部２と、獣毛からなり芯材部２の周囲を層状に覆う表層部１０と、表層部１０を包囲する外カバー５と、を有するマットレス１であって、表層部１０を構成する獣毛の外径は、芯材部２から離間するにしたがって小さくなるように形成されていることを特徴とする。【選択図】図２
2010000212.tif 000002
【特許請求の範囲】
【請求項１】
板状を呈する芯材部と、繊維から構成された複数の繊維層を備え前記芯材部の周囲を層状に覆う表層部と、前記表層部を包囲する外カバーと、を有するマットレスであって、前記各繊維層を構成する前記繊維の外径の平均値は、前記芯材部から離間するにしたがって小さくなるように形成されていることを特徴とするマットレス。
【請求項２】
前記繊維は、ヘア状の獣毛を含むことを特徴とする請求項１に記載のマットレス。
【請求項３】
前記芯材部と前記表層部との間に吸湿層が形成されていることを特徴とする請求項１又は請求項２に記載のマットレス。
【発明の詳細な説明】
【技術分野】
【０００１】
本発明は、マットレスに関する。
【背景技術】
【０００２】
従来、寝具として使用するマットレスは、快適な眠りを導くために、良い姿勢が保てる支持性（クッション性）、睡眠中の体温の変化に対応するための保温性、さらには、適度な湿度を保つ透湿性、吸湿性及び放湿性など非常に多くの性能が求められている。
【０００３】
例えば、特許文献１には、マットレスの芯となる芯材部と、芯材部の外周を覆う表層部とを主に有するマットレスが記載されている。当該マットレスの芯材部には、コイルスプリング等が設けられているため、クッション性を高めることができるとともに、体圧支持性を高めることができる。また、芯材部に、上下方向及び幅方向に連通する通気孔を設けることで、透湿性（通気性）を高めることができる。また、表層部は、主に綿などの繊維を用いているため、吸湿性及び肌触りを高めることができる。
【特許文献１】特開平８−２２４１４４号公報（図１参照）
【発明の開示】
【発明が解決しようとする課題】
【０００４】
ここで、芯材部にコイルスプリング等比較的硬い材料を設ける場合は、人体にコイルスプリング等の接触感を感じさせないために、芯材部と表層部の間に比較的厚みの大きいウレタン素材を設けて保護層を形成する必要があった。しかし、ウレタン素材は、透湿性（通気性）性に劣るため、汗や湿気が外部に放出されず、マットレスの内部に汗等の水分や湿気が溜まりやすいという問題があった。このように、マットレスの内部に汗等の水分や湿気が溜まるとカビの発生原因になり、特に、高温多湿の気候においてはカビの発生を促進させるため好ましくない。また、マットレスの透湿性が低下すると、人体の背中側が蒸れやすくなるため、寝心地が悪くなり、安眠の妨げになるという問題があった。
一方、マットレスにコイルスプリングや連通孔を設けると、マットレスの構造設計及び製造工程が複雑になって製造作業が煩雑になるとともに、設計の自由度も低下するという問題があった。
【０００５】
そこで本発明はかかる問題を解決するために創案されたものであって、透湿性、クッション性を高めるとともに、比較的容易に製造することができるマットレスを提供することを課題とする。
【課題を解決するための手段】
【０００６】
前記課題を解決するため本発明は、板状を呈する芯材部と、繊維から構成された複数の繊維層を備え前記芯材部の周囲を層状に覆う表層部と、前記表層部を包囲する外カバーと、を有するマットレスであって、前記各繊維層を構成する前記繊維の外径の平均値は、前記芯材部から離間するにしたがって小さくなるように形成されていることを特徴とする。
【０００７】
かかる構成よれば、芯材部の外周近傍は外径の大きい繊維で構成された繊維層に覆われているため、比較的弾性が大きく、仮に芯材部にコイルスプリングが設けられていたとしても、人体との接触感を和らげることができる。また、外径の大きい繊維同士の間隙は比較的大きな空間となるため、湿気や汗などの水分は、外径の大きい繊維同士の間隙を抜けやすい。そのため、透湿性が高まり、マットレスの内部に水分が溜まるのを防止することができる。また、芯材部の周囲を繊維層で層状に覆うため、体圧支持性、クッション性を高めることができる。
【０００８】
また、各繊維層を構成する繊維の外径が芯材部から離間するにしたがって小さくなっているため、人体側は比較的柔らかい層となり、肌触り感を良好にすることができる。また、人体側が比較的柔らかい層となっているため、体圧分散性を高めることができる。また、マットレスの製造においては、芯材部の周囲を繊維層で覆うだけであるため、比較的容易に製造することができ、製造コストの低減を図ることができる。
【０００９】
また、表層部に用いる前記繊維は、ヘア状の獣毛を用いることが好ましい。かかる構成によれば、保温性、放湿性を高めることができる。また、ヘア状の獣毛は比較的硬いため、体圧支持性をより高めることができる。
【００１０】
また、前記芯材部と前記表層部との間に吸湿層が形成されていることが好ましい。例えばフエルト等の材料を用いて吸湿層を形成することで、湿気や汗などの水分の吸湿性を高めることができる。これにより、人体からマットレスに吸収された湿気や汗などの水分が人体側に逆流するのを防止することができる。
【発明の効果】
【００１１】
本発明にかかるマットレスによれば、透湿性、クッション性が高まるとともに、比較的容易に製造することができる。
【発明を実施するための最良の形態】
【００１２】
次に、本発明の最良の形態について、適宜図面を用いて詳細に説明する。図１は、本実施形態に係るマットレスを示した一部破断斜視図である。図２は、図１のＸ１−Ｘ１線断面図である。図３は、図２のＡ部分を示した拡大図である。図４は、獣毛を示した拡大図である。図５は、本実施形態に係るマットレスに人が寝た状態を示す模式断面図である。
なお、本実施形態の説明における上下左右前後は図１の矢印に従う。また、説明における「外側」とは、芯材部２に対して外カバー５側をいう。
【００１３】
本実施形態に係るマットレス１は、図１及び図２に示すように、敷布団の下又はベットの上に敷く厚手の敷物であって、略直方体を呈する。マットレス１は、マットレス１の中央に設けられる板状の芯材部２と、芯材部２の外周を覆う吸湿層３と、吸収層３の外周を覆う表層部１０と、表層部１０の外周を覆う外カバー５とを主に有する。
【００１４】
芯材部２は、マットレス１の中央に配設される芯材であって、主としてクッション性及び体圧支持性を備える。また、芯材部２を備えることで、いわゆる底付き感を低減することができる。芯材部２は、本実施形態では、比較的通気性の高いポリエステルからなり板状を呈する。本実施形態では、芯材部２の厚みを約１５０ｍｍ、幅を約９００ｍｍ、長さを約１９００ｍｍに形成しているが、芯材部２の寸法はマットレス１の設計にしたがって、適宜設定すればよい。
【００１５】
なお、芯材部２は、本実施形態では、ポリエステル単体から構成したが、これに限定されるものではなく、スプリングを配設してもよいし、ラテックス、ウレタン又は樹脂発泡体等の材料を用いてもよい。また、これらの材料を組み合わせて構成してもよい。また、芯材部２の硬度は、適宜設定すればよい。
【００１６】
吸湿層３は、芯材部２の外周を層状に覆い、湿気や人体の汗等の水分を吸収して吸湿性を高める役割を果たす。吸湿層３は、本実施形態では、麻からなり約７ｍｍの厚みで積層されている。吸湿層３の素材は、麻に限定されるものではなく、例えば、フエルトやニードルパンチ等吸湿効果の高い素材を用いることが好ましい。また、吸湿層３の厚みは、５ｍｍ〜１０ｍｍ程度の厚みで適宜設定すればよい。なお、吸湿層３は、必ずしも必要なものではなく、必要に応じて適宜形成すればよい。
【００１７】
表層部１０は、図１乃至図３に示すように、複数の繊維から構成されており、吸湿層３の外周を層状に覆う部分である。表層部１０の繊維は、本実施形態では、獣毛を採用している。表層部１０は、本実施形態では、芯材部２側から外側に第一層１１、第二層１２及び第三層１３と積層させており、第一層１１から第三層１３に向かうにしたがって、各層を構成する獣毛の毛径（毛の外径）が小さくなるように形成したことを特徴とする。
【００１８】
なお、本実施形態では、表層部１０を構成する繊維として獣毛を採用したが、これに限定されるものではなく、例えば、麻や綿などの他の天然素材又は化学繊維などの人工素材の糸状物質を採用してもよい。
【００１９】
第一層１１は、図３に示すように、本実施形態では、馬の毛を絡み合わせて層状に形成した繊維層であって、吸湿層３の外周を覆っている。第一層１１を構成する馬の毛には、毛径が約７５〜２８０μｍのものを用いており、第一層１１の毛径の平均が約１４０μｍとなっている。馬の毛の長さは、１５０ｍｍ〜２００ｍｍと比較的長いものを用いている。このように、後記する第二層及び第三層よりも比較的毛径が大きく、長い毛を用いることで、主に支持性、透湿性を高めることができる。
【００２０】
また、第一層１１で用いる馬の毛には、ヘアのみを用いている。ここで、図４に示すように、獣毛の種類によっては、外側に向けて鱗状に突出するスケールを有するものがある。本実施形態では、獣毛のうちスケールを備えていないものを「ヘア」、スケールを備えているものを「ウール」という。
ヘアは、スケールがないため、毛同士が絡まりにくく、ヘタリにくいという性質を有する。即ち、第一層１１では、ヘアのみを用いているため、毛同士が絡まりにくく、毛玉になりにくいため、ヘタリを抑制することができる。
【００２１】
一方、ウールは、スケールがあるため、他の毛と絡みやすく、ヘタリやすいが、柔軟性及び保温性に富むという性質を有する。
【００２２】
第二層１２は、本実施形態では、ヤクの毛を絡み合わせて層状に形成した繊維層であって、第一層１１の外周を覆っている。第二層１２では、ヤクの毛のヘアとウールとを略同じ割合で混ぜ合わせて形成している。第二層１２を構成するヤクの毛には、毛径が１５〜２３０μｍのものを用いており、第二層１２の毛径の平均が約１１１μｍとなっている。ヤクの毛の長さは、８０ｍｍ〜１５０ｍｍのものを用いている。
【００２３】
第三層１３は、本実施形態では、らくだの毛のヘアとヤギ（カシミア）のウールを同じ割合で絡み合わせて層状に形成した繊維層であって、第二層１２の外周を覆っている。第三層１３を構成するらくだの毛及びヤギの毛には、毛径が１２〜１２０μｍのものを用いており、第三層１３の毛径の平均値が約７５μｍとなっている。らくだの毛及びヤギの毛の長さは、６０ｍｍ〜８０ｍｍのものを用いている。
【００２４】
なお、第一層１１乃至第三層１３に用いる獣毛は、前記したものに限定されるものではなく、他の種類の獣毛を設けてもよい。また、第二層１２及び第三層１３には、ヘアとウールを混在させたが、ヘアのみで各層を構成してもよい。また、第二層１２及び第三層１３には、８０ｍｍ〜１５０ｍｍの長繊維と縮毛を混在させたもので構成してもよい。
【００２５】
外カバー５は、表層部１０の外周を覆って芯材部２、吸湿層３及び表層部１０を包み込む部材である。外カバー５の素材は特に限定するものではないが、例えば綿製の布地（以下、綿布という）を用いる。外カバー５は、表層部１０を構成する獣毛が、外カバー５を貫通しないことが好ましい。したがって、綿布の目（綿布を形成する糸と糸の隙間）に対して目をつぶしてあることが好ましい。
【００２６】
また、マットレス１には、図１及び図２に示すように、外カバー５の表面と裏面を綴じる綴じ部８，８，・・・が形成されている。綴じ部８は、綴じ糸で形成されており、外カバー５の表面から裏面に亘って貫通する貫通部８ｃと、貫通部８ｃの両端に形成された房部８ａ，８ｂとを有する。綴じ部８は、外カバー５の表面から裏面に亘って綴じ糸を貫通させた後、余剰部分の綴じ糸を所定の張力をかけつつ房部８ａ，８ｂで綴じて形成される。綴じ部８によれば、外カバー５内で芯材部２及び表層部１０が動かないようにすることができる。
【００２７】
また、図１に示すように、マットレス１の側面には、ファスナー９が形成されている。ファスナー９は、マットレス１の側面１ａ、側面１ｂ及び側面１ｃに亘って高さ方向の中央に形成されている。即ち、マットレス１の側面１ｄにはファスナ−９が設けられていないため、ファスナー９を全開状態にすると側面１ｄを基点にして、外カバー５が開くように形成されている。なお、マットレス１の側面全周に亘って、ファスナー９が設けられていてもよい。
【００２８】
次に、マットレス１の製造方法について説明する。
まず、ポリエステルを用いて所定の寸法で芯材部２を形成する。そして、層状にした麻で芯材部２の周囲を覆って吸湿層３を形成する。
【００２９】
ここで、表層部１０を構成する第一層１１、第二層１２及び第三層１３は、それぞれに使用する馬の毛、ヤクの毛、らくだの毛・ヤギの毛を十分に解きほぐし、例えば掻上げ羽根を備える混綿機に気送して、それぞれ予め層状に形成しておく。
そして、吸湿層３の周囲に、馬の毛からなる繊維層を重ねて第一層１１を形成する。次に、第一層１１の周囲に、ヤクの毛からなる繊維層を重ねて第二層１２を形成する。次に、第二層１２の周囲に、らくだの毛・ヤギの毛からなる繊維層を重ねて第三層１３を形成する。
【００３０】
次に、予め目つぶしを施した外カバー５で第三層１３を覆いファスナー９を閉める。最後に、適所に綴り部８，８・・・を形成してマットレス１が完成する。なお、マットレス１の製造工程は、前記した工程に限定されるものではない。
【００３１】
以上説明した本実施形態に係るマットレス１によれば、芯材部２の外周近傍は、外径の大きい繊維（獣毛）で形成された第一層１１で覆われているため、比較的弾性が大きくかつ硬度の高い芯材部２と人体との接触感を和らげることができる。また、外径の大きい獣毛同士の間隙は比較的大きな空間となるため、湿気や汗などの水分は、第一層１１を透過しやすい。よって、マットレス１の内部に湿気（水分）が溜まるのを防止することができる。
【００３２】
また、芯材部２を設けるとともに、芯材部２の外周近傍は、外径の大きい繊維（獣毛）で形成された第一層１１で覆われているため、クッション性、体圧支持性を高めることができる。また、表層部１０の獣毛の毛径が芯材部２から離間するにしたがって小さくなっているため、芯材部２側が比較的固く、外側が比較的柔らかくなり、体圧分散性を高めることができる。
【００３３】
また、表層部１０の獣毛の毛径が芯材部２から離間するにしたがって小さくなっているため、外側は比較的柔らかい層となり、肌触り感を良好にすることができる。また、第二層１２及び第三層１３には、ウールを混在させることで、獣毛同士が絡みやすくなり、柔軟性及び保温性を高めることができる。
【００３４】
また、表層部１０に獣毛を用いることで、放湿性を高めるとともに、保温性をより高めることができる。また、獣毛は比較的硬いため、体圧支持性をより高めることができる。これにより、マットレス１のうち、例えば臀部に当たる箇所が局所的にヘタることを防止することができる。
【００３５】
ここで、獣毛は、放湿性、透湿性には優れるが、吸湿性に劣るという性質を有する。したがって、獣毛のみでマットレス１を構成すると、一旦表層部１０に浸透した湿気が人体側に逆流して人に不快感を与える可能性がある。しかし、本実施形態では吸湿層３を設けることで、吸湿層３が湿気を吸収するため、一旦表層部１０に浸透した湿気が人体側に逆流するのを防ぐことができる。
【００３６】
即ち、図５に示すように、人体Ｈから発生した汗等の水分や湿気（図５の矢印参照）は、上側の表層部１０を通り抜けて吸湿効果の高い吸湿層３に吸収される。そして、汗等の水分や湿気は、重力により徐々に降下して、下側の表層部１０’を介して外側左右方向に放出される。本実施形態では、表層部１０（１０’）には、放湿性の高い獣毛を用いているため、吸湿層３で吸収し、降下した湿気が下側の表層部１０’で結露することなく、マットレス１の外部に徐々に放出することができる。これにより、人体の背中が蒸れることを防止して安眠を導くことができる。
【００３７】
また、マットレス１は、芯材部２の周囲を吸湿層３及び所定の太さから構成された繊維層で覆うだけであるため、比較的容易に製造することができ、製造コストの低減を図ることができる。また、マットレス１は、芯材部２の周囲を層状に覆うだけであるため、複雑な構造計算等が不要であり、設計の自由度を高めることができる。
【００３８】
また、本実施形態では、綴じ部８を外し、ファスナー９を開けることで外カバー５の中味を容易に取り出すことができる。これにより、例えば、芯材部２が経年劣化した場合には、芯材部２を容易に取り替えることができる。従来は、仮に芯材部２が径年劣化すると、仕立て直しが困難であったため、マットレス１が廃棄処分されてしまうことが多かった。しかし、本実施形態のマットレス１では仕立て直しを容易に行うことができるため、廃棄コストを低減することができる。
【００３９】
以上本発明の最良の形態について説明したが、本発明は、本発明の趣旨を逸脱しない範囲において適宜変更を行うことができる。例えば、本実施形態では、獣毛を用いて表層部１０を構成したが、これに限定されるものではなくポリエステルやナイロン等の化学繊維を用いて表層部を構成してもよい。また、本実施形態に係るマットレス１の構造を、座布団、椅子類のクッションシート、枕等に適用してもよい。
【００４０】
また、本実施形態では表層部１０を三層構造としたが、二層構造又は四層構造以上の形態であってもよい。この場合であっても、各層を構成する繊維の外径の平均値が外側に向かうほど小さく（細く）なるように形成する。また、本実施形態では、第一層１１をヘアのみで構成したが、ウールを混在させてもよい。
【図面の簡単な説明】
【００４１】
【図１】本実施形態に係るマットレスを示した一部破断斜視図である。
【図２】図１のＸ１−Ｘ１線断面図である。
【図３】図２のＡ部分を示した拡大断面図である。
【図４】獣毛を示した拡大図である。
【図５】本実施形態に係るマットレスに人が寝た状態を示す模式断面図である
【符号の説明】
【００４２】
１      マットレス
２      芯材部
３      吸湿層
５      外カバー
１０    表層部
１１    第一層
１２    第二層
１３    第三層
【図１】
2010000212.tif 000003
【図２】
2010000212.tif 000004
【図３】
2010000212.tif 000005
【図４】
2010000212.tif 000006
【図５】
2010000212.tif 000007